(57)【要約】【課題】  利用者の映像を合成することで娯楽性の高い背景映像を形成し得る音楽再生装置を提供する。【解決手段】  利用者の人数分の映像を受け付ける映像受付手段１１２と、予め記憶された複数組の芝居映像のうちから利用者の人数に応じて所定の芝居映像を選択する映像選択手段１１０と、映像選択手段１１０により選択された芝居映像において予め定められた各役を各利用者の映像に配役として設定する配役設定手段１１４と、配役設定手段１１４により設定された配役に基づいて芝居映像と各利用者の映像とを背景映像として合成する背景映像合成手段１２０とを、含むことから、利用者を登場人物とした物語性のある背景映像を形成することができる。【選択図】  図２
2005091756.tif 000002
【特許請求の範囲】
【請求項１】
複数の演奏曲のうちから選択された所望の演奏曲を出力させるのと同期して所定の背景映像を表示させる音楽再生装置であって、
利用者の人数分の映像を受け付ける映像受付手段と、
予め記憶された複数組の芝居映像のうちから利用者の人数に応じて所定の芝居映像を選択する映像選択手段と、
該映像選択手段により選択された芝居映像において予め定められた各役を前記映像受付手段により受け付けられた各利用者の映像に配役として設定する配役設定手段と、
該配役設定手段により設定された配役に基づいて前記映像選択手段により選択された芝居映像と前記映像受付手段により受け付けられた各利用者の映像とを前記背景映像として合成する背景映像合成手段と
を、含むことを特徴とする音楽再生装置。
【請求項２】
前記演奏曲の出力に先立って、前記配役設定手段により設定された配役を説明するために所定の映像と前記映像受付手段により受け付けられた各利用者の映像とを合成した配役説明映像を表示させる配役説明映像表示手段を含むものである請求項１の音楽再生装置。
【請求項３】
予め定められた複数のジャンルのうちから所望のジャンルを受け付けるジャンル受付手段を含み、前記映像選択手段は、該ジャンル受付手段により受け付けられたジャンルに応じて所定の芝居映像を選択するものである請求項１又は２の音楽再生装置。
【請求項４】
前記映像選択手段は、前記背景映像合成手段により合成される背景映像と同期して出力される演奏曲に応じて所定の芝居映像を選択するものである請求項１から３の何れかの音楽再生装置。
【請求項５】
前記映像受付手段は、携帯用通信端末から送信される前記利用者の映像を受け付けるものである請求項１から４の何れかの音楽再生装置。
【請求項６】
前記映像受付手段は、所定の記憶装置から読み出される前記利用者の映像を受け付けるものである請求項１から４の何れかの音楽再生装置。
【発明の詳細な説明】
【技術分野】
【０００１】
本発明は、例えば、カラオケボックスで使用されるカラオケ装置等の音楽再生装置に関し、特に、利用者の映像を合成して背景映像を形成する技術の改良に関する。
【背景技術】
【０００２】
複数の演奏曲のうちから選択された所望の演奏曲を出力させる音楽再生装置が知られている。例えば、カラオケボックス等で使用されるカラオケ装置がそれである。斯かるカラオケ装置によれば、予め記憶装置に記憶された複数の演奏曲から選択された所望の演奏曲の音楽情報を出力させると共に、その演奏曲の歌詞情報を含む映像をその出力に同期して画面に表示させることで、所望の歌のカラオケ演奏を楽しむことができる。
【０００３】
近年、上記カラオケ装置の一例として、所定の背景映像に歌詞文字映像（歌詞テロップ）を付加する態様のカラオケ装置が普及している。斯かるカラオケ装置では、背景映像を複数種類の演奏曲に汎用できるため、各演奏曲にあつらえの映像を用意する必要がなく、比較的多数の曲を演奏できるという利点がある反面、演奏が長時間に渡ると同じ背景映像が何回も再生させられることで、利用者を飽きさせる可能性があった。そこで、背景映像に変化を与えるべく、ビデオカメラ等の撮像装置により取り込まれた利用者の映像を合成して背景映像を形成する技術が知られている。例えば、特許文献１に記載された通信カラオケ装置がそれである。
【０００４】
【特許文献１】特開平１１−１７５０７９号公報
【０００５】
しかし、前記従来の技術は、利用者の映像を予め用意されたフレーム映像に合成するものに過ぎず、それにより形成される背景映像はいきおい単調で娯楽性に乏しいものに成り勝ちであった。このため、利用者の映像を合成して背景映像を形成する技術は、ほとんど実用されていないのが現状である。
【発明の開示】
【発明が解決しようとする課題】
【０００６】
本発明は、以上の事情を背景として為されたものであり、その目的とするところは、利用者の映像を合成することで娯楽性の高い背景映像を形成し得る音楽再生装置を提供することにある。
【課題を解決するための手段】
【０００７】
斯かる目的を達成するために、本発明の要旨とするところは、複数の演奏曲のうちから選択された所望の演奏曲を出力させるのと同期して所定の背景映像を表示させる音楽再生装置であって、利用者の人数分の映像を受け付ける映像受付手段と、予め記憶された複数組の芝居映像のうちから利用者の人数に応じて所定の芝居映像を選択する映像選択手段と、その映像選択手段により選択された芝居映像において予め定められた各役を前記映像受付手段により受け付けられた各利用者の映像に配役として設定する配役設定手段と、その配役設定手段により設定された配役に基づいて前記映像選択手段により選択された芝居映像と前記映像受付手段により受け付けられた各利用者の映像とを前記背景映像として合成する背景映像合成手段とを、含むことを特徴とするものである。
【発明の効果】
【０００８】
このようにすれば、利用者の人数分の映像を受け付ける映像受付手段と、予め記憶された複数組の芝居映像のうちから利用者の人数に応じて所定の芝居映像を選択する映像選択手段と、その映像選択手段により選択された芝居映像において予め定められた各役を前記映像受付手段により受け付けられた各利用者の映像に配役として設定する配役設定手段と、その配役設定手段により設定された配役に基づいて前記映像選択手段により選択された芝居映像と前記映像受付手段により受け付けられた各利用者の映像とを前記背景映像として合成する背景映像合成手段とを、含むことから、利用者を登場人物とした物語性のある背景映像を形成し、前記演奏曲の出力と同期して出力させることができる。すなわち、利用者の映像を合成することで娯楽性の高い背景映像を形成し得る音楽再生装置を提供することができる。
【０００９】
ここで、好適には、前記演奏曲の出力に先立って、前記配役設定手段により設定された配役を説明するために所定の映像と前記映像受付手段により受け付けられた各利用者の映像とを合成した配役説明映像を表示させる配役説明映像表示手段を含むものである。このようにすれば、事前情報として各利用者の映像に設定された配役を説明することで、背景映像に対する利用者の期待を高められることに加え、例えば、利用者が配役の変更を所望する場合等には、配役を再設定することができるという利点がある。
【００１０】
また、好適には、予め定められた複数のジャンルのうちから所望のジャンルを受け付けるジャンル受付手段を含み、前記映像選択手段は、そのジャンル受付手段により受け付けられたジャンルに応じて所定の芝居映像を選択するものである。このようにすれば、前記芝居映像の選択において利用者の嗜好を反映することで、より娯楽性の高い背景映像を形成できるという利点がある。
【００１１】
また、好適には、前記映像選択手段は、前記背景映像合成手段により合成される背景映像と同期して出力される演奏曲に応じて所定の芝居映像を選択するものである。このようにすれば、演奏曲の雰囲気にそぐう芝居映像を選択することで、より娯楽性の高い背景映像を形成できるという利点がある。
【００１２】
また、好適には、前記映像受付手段は、携帯用通信端末から送信される前記利用者の映像を受け付けるものである。このようにすれば、前記携帯用通信端末により撮像された前記利用者の映像をダイレクトに受け付けることができるという利点がある。
【００１３】
また、好適には、前記映像受付手段は、所定の記憶装置から読み出される前記利用者の映像を受け付けるものである。このようにすれば、予めデジタルカメラ等により撮像された後、ＳＤカードや磁気ディスク等の媒体に記憶された前記利用者の映像を受け付けることができるという利点がある。
【実施例】
【００１４】
以下、本発明の好適な実施例を図面に基づいて詳細に説明する。
【００１５】
図１は、本発明の一実施例であるカラオケ装置１０の構成を説明するブロック線図である。このカラオケ装置１０は、ＣＲＴ等の映像表示装置１２と、背景映像再生装置であるディスクプレーヤ１４と、映像合成装置であるビデオミキサ１６と、アンプミキサ１８と、スピーカ２０と、マイク２２と、入力装置である操作パネル２４と、中央演算処理装置であるＣＰＵ２６、ＲＯＭ２８、ＲＡＭ３０、記憶装置であるハードディスク３２、ターミナルアダプタ３４、ＣＲＴコントローラ３６、上記操作パネル２４等の入力装置からの入力信号を処理する入出力インターフェイス３８、音楽情報を生成して出力するためのシンセサイザ４０、及び赤外線信号を受信するための赤外線受信部４２とを、備えて構成されている。
【００１６】
上記ＣＰＵ２６は、上記ＲＯＭ２８に記憶された所定のプログラムに基づいて電子情報を処理・制御する所謂コンピュータであり、前記カラオケ装置１０によりカラオケ演奏を行う利用者の操作により所定のカラオケ演奏曲が選曲された場合、上記ハードディスク３２から上記ＲＡＭ３０に選曲されたカラオケ演奏曲の演奏情報及び歌詞情報等を読み出したり、カラオケ演奏が進行するのに応じてそのＲＡＭ３０から上記シンセサイザ４０へ演奏情報を送信したり、歌詞情報に基づいて歌詞文字映像を生成して上記ＣＲＴコントローラ３６へ送ったり、選曲時には曲名文字映像を生成して上記ＣＲＴコントローラ３６へ送る等の基本的な制御の他、演奏曲の出力に同期して後述する背景映像表示制御を実行する。
【００１７】
前記操作パネル２４は、利用者が歌いたいカラオケ演奏曲を選択したり、演奏曲の音程を調整したり、演奏と歌との音量バランスを調整したり、カラオケ演奏に関する各種のモード設定を行ったり、その他、エコー、音量、トーン等の各種調整を行うための操作釦（スイッチ）或いはツマミを備えた入力装置である。また、前記カラオケ装置１０には、前記操作パネル２４の一部機能を遠隔で実行するための遠隔操作装置として機能するリモコン４４が備えられている。前記赤外線受信部４２は、そのリモコン４４や後述する携帯用通信端末５０から送信される赤外線信号を受信して前記中央演算処理装置２６へ供給する。
【００１８】
前記ディスクプレーヤ１４は、後述する紙芝居風背景モードが選択されていない通常のカラオケ演奏時に前記映像表示装置１２に表示される背景映像を記憶したＣＤやＤＶＤを再生する背景映像再生装置である。また、前記ビデオミキサ１６は、前記ハードディスク３２から読み出された歌詞情報に基づいて前記中央演算処理装置２６において生成され且つ前記ＣＲＴコントローラ３６から出力される歌詞文字映像（歌詞テロップ）と、前記ディスクプレーヤ１４等から送られる背景映像とを合成して前記映像表示装置１２に表示させる映像合成装置である。
【００１９】
前記シンセサイザ４０は、前記ハードディスク３２から読み出された演奏情報に基づき、楽器の演奏音等の音楽信号を生成する音源である。生成された音楽信号は、アナログ信号に変換されて前記アンプミキサ１８へ送られる。そのアンプミキサ１８では、送られてきた音楽信号と前記マイク２２を介して入力される利用者の歌声とがミキシングされ、それらの信号が電気的に増幅されて前記スピーカ２０から出力される。
【００２０】
前記ターミナルアダプタ３４は、前記カラオケ装置１０を公衆電話回線、有線放送用ケーブル、又は光ファイバ等による通信回線４６に接続するための装置である。カラオケボックス等の店舗にそれぞれ備えられた複数のカラオケ装置１０は、上記通信回線４６を介して図示しないカラオケサービス提供会社のホストサーバに接続されており、それら複数のカラオケ装置１０によって常に新しい曲が演奏可能とされるように、随時新曲のカラオケ情報等が上記通信回線４６を介してダウンロードされ、後述する曲情報データベース１００等に記憶されるようになっている。すなわち、前記カラオケ装置１０は、電気通信回線を通じて各種情報の送受信を行う通信カラオケ装置である。
【００２１】
図１の携帯用通信端末５０は、電荷結合素子であるＣＣＤ（Charge Coupled Device）を備えていることで、静止画や動画を撮像し得る所謂デジタルカメラとして機能すると共に、前記カラオケ装置１０に赤外線信号を介して情報を送信する赤外線送信部を備えたものである。すなわち、図示しないシャッタ釦が押されること等により映像が取り込まれ、その映像がＣＣＤにより映像信号に変換された後、フラッシュメモリ等の記憶部に記憶される。そうして撮影された映像情報は、上記赤外線送信部から赤外線信号として前記カラオケ装置１０へ送信される。
【００２２】
図２は、前記カラオケ装置１０に備えられたＣＰＵ２６の背景映像合成表示（紙芝居風背景モード）機能の要部を説明する機能ブロック線図である。この図２に示す選曲手段１０４は、前記操作パネル２４やリモコン４４等の操作に応じて所定の演奏曲を演奏待ち曲として前記ＲＡＭ３０等に記憶する。前記ハードディスク３２には、例えば、多数のカラオケ演奏曲をＭＩＤＩ（Musical Instrument Digital Interface）形式で記憶する曲情報データベース１００が設けられており、各演奏曲の選曲番号、曲名、演奏情報、及び歌詞情報等が記憶されるようになっている。上記選曲手段１０４により所定の演奏曲の選曲番号が選択された場合、斯かる曲情報データベース１００から演奏情報及び歌詞情報が読み出されて前記ＲＡＭ３０へ送られる。
【００２３】
また、前記ハードディスク３２には、複数組の芝居映像を記憶する芝居映像データベース１０２が設けられている。この芝居映像は、実写であるとアニメーションであるとを問わず、動画或いは複数枚の静止画から成る一連の物語性（芝居的な構成）を有する映像であり、１人乃至は複数人の登場人物（芝居における役）が活動する内容とされている。例えば、恋人たちのロマンスを描いた映像や、敵討ちに立とうとする侍を町娘が止める時代劇風の映像、或いはスパイ同士のガンアクション映像等である。そのように、上記芝居映像は、その内容に応じて「ギャグ」、「ロマンス」、「時代劇」、「ＳＦ」、「ハードボイルド」、「アダルト」等のジャンル毎に分類することができる。
【００２４】
図３は、前記ハードディスク３２に設けられた芝居映像データベース１０２を詳しく説明する図である。この図３に示すように、上記芝居映像データベース１０２には、各組毎に予め定められた登場人数（役の数）、登場人物の性別、ジャンル、及び各シーンの映像情報等が記憶されるようになっている。好適には、それぞれ１人乃至は複数人の登場人物を有する複数組の芝居映像が各ジャンル毎に用意されており、それぞれの芝居映像は互いに非類似の内容とされている。また、この態様において、各シーンはそれぞれ１枚の静止画に対応しており、連続する複数枚の静止画により紙芝居風の映像が構成されている。
【００２５】
図２に戻って、人数受付手段１０６は、図２の背景映像合成表示機能を利用する利用者の人数を受け付ける。すなわち、後述する背景映像合成手段１２０により芝居映像と合成させるための映像の被写体となる利用者の人数を受け付ける。ジャンル受付手段１０８は、予め定められた「ギャグ」、「ロマンス」、「時代劇」、「ＳＦ」、「ハードボイルド」、「アダルト」等のジャンルのうちから利用者の所望する芝居映像のジャンルを受け付ける。
【００２６】
映像選択手段１１０は、前記芝居映像データベース１０２に記憶された複数組の芝居映像のうちから上記人数受付手段１０６により受け付けられた利用者の人数に応じて所定の芝居映像を選択する。すなわち、前述したように、芝居映像には予め１人乃至は複数人の登場人物が定められており、その登場人数と上記人数受付手段１０６により受け付けられた利用者の人数とが一致する芝居映像を選択する。この映像選択手段１１０により選択された芝居映像は、後述する背景映像合成手段１２０により利用者映像と合成され、前記選曲手段１０４により選曲された所定の演奏曲の出力と同期して背景映像として出力されるが、好適には、その同期して出力される演奏曲に応じて所定の芝居映像を選択する。また、好適には、上記ジャンル受付手段１０８により受け付けられたジャンルに応じて所定の芝居映像を選択する。
【００２７】
映像受付手段１１２は、図２の背景映像合成表示機能を利用する利用者の人数分の映像を受け付ける。すなわち、好適には、後述する背景映像合成手段１２０により芝居映像と合成させるための利用者映像として各利用者につき１枚ずつの映像を受け付ける。具体的には、前記携帯用通信端末５０等により撮像された利用者の映像を赤外線信号を介して前記赤外線受信部４２により受信して前記ＲＡＭ３０等に記憶する。そのようにして受け付けられる利用者の映像は、好適には、動画であると静止画であるとを問わず、その利用者の顔を撮像したものである。
【００２８】
配役設定手段１１４は、前記映像選択手段１１０により選択された芝居映像において予め定められた各役（登場人物）を上記映像受付手段１１２により受け付けられた各利用者の映像に配役として設定する。すなわち、各利用者（利用者映像）につき１つずつの役を配してその利用者と役とを対応付ける。この配役設定は、好適には、利用者及び登場人物の性別に関係なくランダムに行われる。従って、利用者及び登場人物の性別が一致する順当な配役が行われる場合もあれば、男性の利用者に女役が配されたり、女性の利用者に男役が配される場合もある。
【００２９】
配役説明映像合成手段１１６は、上記配役設定手段１１４により設定された配役を説明するために所定の映像と前記映像受付手段１１２により受け付けられた各利用者の映像とを合成する。例えば、各役の容姿、格好、服装等を端的に表す映像における各役の顔に対応する部分にその役を配された利用者の顔の映像を合成する。また、各役に名称が定められている場合には、それらの名称を表す文字映像を併せて合成する。そのようにして合成された配役説明映像は、前記ＲＡＭ３０に記憶される。配役説明映像表示手段１１８は、その配役に基づいて合成される背景映像の出力すなわち前記演奏曲の出力に先立って、上記配役説明映像合成手段１１６により合成されて前記ＲＡＭ３０に記憶された配役説明映像を読み出し、前記ビデオミキサ１６を介して前記映像表示装置１２により表示させる。
【００３０】
背景映像合成手段１２０は、前記配役設定手段１１４により設定された配役に基づいて前記映像選択手段１１０により選択された芝居映像と前記映像受付手段１１２により受け付けられた各利用者の映像とを背景映像として合成する。好適には、前記芝居映像における各役の顔に対応する部分にその役を配された利用者の顔の映像を合成する。そのようにして合成された背景映像は、前記ＲＡＭ３０に記憶される。背景映像表示手段１２２は、上記背景映像合成手段１２０により合成されて前記ＲＡＭ３０に記憶された背景映像を読み出し、前記ビデオミキサ１６を介して前記映像表示装置１２により表示させる。
【００３１】
図４は、前記カラオケ装置１０のＣＰＵ２６による背景映像合成表示制御をを説明するフローチャートであり、所定の周期で繰り返し実行されるものである。
【００３２】
先ず、ステップ（以下、ステップを省略する）ＳＡ１において、所定の利用者映像入力操作が選択された後、ＳＡ２において、紙芝居風背景モード（背景映像合成表示機能）を利用する利用者の人数分の映像が前記赤外線受信部４２を介して受け付けられて前記ＲＡＭ３０に記憶させられる。ここでは、各利用者につき１枚づつの映像を受け付ける態様について説明する。例えば、第１の利用者（男性）を撮像したものである図６に示す利用者映像１２４と、第２の利用者（女性）を撮像したものである図７に示す利用者映像１２６とがそれぞれ受け付けられる。次に、ＳＡ３において、利用者映像の入力が完了させられる。以上の制御において、ＳＡ１乃至ＳＡ３が前記映像受付手段１１２に対応する。
【００３３】
次に、ＳＡ４において、所定のモード設定操作が行われて図８に示すような紙芝居風背景モード選択画面が前記映像表示装置１２に表示させられ、前記リモコン４４等による利用者の入力操作に応じて紙芝居風背景モードを開始するか否かが判断される。このＳＡ４の判断が否定される場合には、それをもって本ルーチンが終了させられるが、ＳＡ４の判断が肯定される場合には、前記人数受付手段１０６に対応するＳＡ５において、紙芝居風背景モードに参加する利用者の人数が受け付けられて前記ＲＡＭ３０に記憶させられる。次に、前記ジャンル受付手段１０８に対応するＳＡ６において、図９に示すようなフレーム（芝居映像）選択画面が前記映像表示装置１２に表示させられ、前記リモコン４４等による利用者の入力操作により「１．ギャグ」、「２．ロマンス」、「３．時代劇」、「４．ＳＦ」、「５．ハードボイルド」、及び「６．アダルト」のジャンルのうちから利用者の所望する芝居映像のジャンルが受け付けられて前記ＲＡＭ３０に記憶させられる。次に、前記選曲手段１０４に対応するＳＡ７において、前記リモコン４４等による利用者の入力操作により選曲番号が受け付けられて前記ＲＡＭ３０に記憶させられた後、配役設定・背景映像合成制御が実行される。
【００３４】
図５は、上記配役設定・背景映像合成制御を説明するフローチャートである。先ず、ＳＢ１において、前記芝居映像データベース１０２に記憶された複数組の芝居映像のうちＳＡ６にて受け付けられたジャンル及びＳＡ７にて受け付けられた選曲番号に応じた芝居映像にアクセスさせられる。次に、ＳＢ２において、ＳＢ１にてアクセスさせられた芝居映像のうちからＳＡ５にて受け付けられた利用者の人数に応じた芝居映像が１組抽出されて前記ＲＡＭ３０に記憶させられる。次に、前記配役設定手段１１４に対応するＳＢ３において、ＳＡ２にて受け付けられた利用者映像が読み出されて、ＳＢ２にて抽出された芝居映像において予め定められた各役が各利用者の映像に配役としてランダムに設定される。例えば、第１の利用者に「侍」の役が、第２の利用者に「町娘」の役がそれぞれ設定される。次に、前記配役説明映像合成手段１１６及び配役説明映像表示手段１１８に対応するＳＢ４において、ＳＢ２にて抽出された芝居映像に付属する所定の映像における各役の顔に対応する部分に各利用者の映像の顔に対応する部分が合成され、図１０に示すような配役説明映像１３２が前記映像表示装置１２に表示させられる。この顔に対応する部分の特定乃至切り取りは、前記携帯用通信端末５０による撮像段階において予め行われるものであってもよいし、前記カラオケ装置１２に受信された後に利用者の操作に応じて、或いは自動的に行われるものであってもよい。次に、ＳＢ５において、ＳＢ２にて抽出された芝居映像及びＳＢ３にて設定された配役がそのままでよいか否かが前記リモコン４４等による利用者の入力操作に応じて判断される。このＳＢ５の判断が否定される場合には、ＳＢ２以下の処理が再び実行されるが、ＳＢ５の判断が肯定される場合には、前記背景映像合成手段１２０に対応するＳＢ６において、ＳＢ２にて抽出された芝居映像が前記ＲＡＭ３０から読み出されて、ＳＢ３にて設定された配役に従いその芝居映像における各役の顔に対応する部分に各利用者の映像の顔に対応する部分が合成される。図１１は、ＳＢ２にて抽出された芝居映像における１つのシーンに対応する芝居映像（静止画）１３４を例示するものであり、この芝居映像１３４における各役の顔に対応する部分に図６に示す利用者映像１２４及び図７に示す利用者映像１２６それぞれの顔に対応する部分が合成されることで、図１２に示すような敵討ちに立とうとする侍を町娘が止める様子を表す背景映像１３６が合成される。カラオケ演奏においては、この背景映像１３６に更に歌詞文字映像が合成されて前記映像表示装置１２に表示させられる。斯かる合成処理が全てのシーンについて行われることで、ＳＢ２にて抽出された芝居映像の登場人物として各利用者が活動する一連の背景映像が形成される。次に、ＳＢ７において、ＳＢ６にて合成された背景映像が前記ＲＡＭ３０に記憶させられた後、配役設定・背景映像合成制御が終了させられる。以上の制御において、ＳＢ１及びＳＢ２が前記映像選択手段１１０に対応する。
【００３５】
上記配役設定・背景映像合成制御に続いて、ＳＡ８において、図１３に示すようなタイトル画面が前記映像表示装置１２に表示させられた後に、ＳＡ７にて受け付けられた選曲番号に対応する演奏曲のカラオケ演奏が開始される。次に、前記背景映像表示手段１２２に対応するＳＡ９において、ＳＢ６にて合成された背景映像が前記ＲＡＭ３０から順次読み出されて演奏曲の出力に同期して前記映像表示装置１２に表示させられる。次に、ＳＡ１０において、カラオケ演奏が終了させられた後、ＳＡ１１において、前記リモコン４４等による利用者の入力操作に応じて紙芝居風背景モードが続行されるか否かが判断される。このＳＡ１１の判断が肯定される場合には、ＳＡ５以下の処理が再び実行されるが、ＳＡ１１の判断が否定される場合には、それをもって本ルーチンが終了させられる。
【００３６】
このように、本実施例によれば、利用者の人数分の映像を受け付ける映像受付手段１１２（ＳＡ１乃至ＳＡ３）と、予め記憶された複数組の芝居映像のうちから利用者の人数に応じて所定の芝居映像を選択する映像選択手段１１０（ＳＢ１及びＳＢ２）と、その映像選択手段１１０により選択された芝居映像において予め定められた各役を前記映像受付手段１１２により受け付けられた各利用者の映像に配役として設定する配役設定手段１１４（ＳＢ３）と、その配役設定手段１１４により設定された配役に基づいて前記映像選択手段１１０により選択された芝居映像と前記映像受付手段１１２により受け付けられた各利用者の映像とを前記背景映像として合成する背景映像合成手段１２０（ＳＢ６）とを、含むことから、利用者を登場人物とした物語性のある背景映像を形成し、前記演奏曲の出力と同期して出力させることができる。すなわち、利用者の映像を合成することで娯楽性の高い背景映像を形成し得るカラオケ装置１０を提供することができる。
【００３７】
また、前記演奏曲の出力に先立って、前記配役設定手段１１４により設定された配役を説明するために所定の映像と前記映像受付手段１１２により受け付けられた利用者映像１２４及び１２６とを合成した配役説明映像１３２を表示させる配役説明映像表示手段１１８（ＳＢ４）を含むものであるため、事前情報として各利用者の映像に設定された配役を説明することで、背景映像に対する利用者の期待を高められることに加え、例えば、利用者が配役の変更を所望する場合等には、配役を再設定することができるという利点がある。
【００３８】
また、前記利用者映像１２４及び１２６は、各利用者の顔を撮像したものであるため、前記芝居映像において予め定められた各役の顔に対応する部分に利用者の顔の映像を合成することで、利用者を登場人物とした物語性のある背景映像を簡単に形成できるという利点がある。
【００３９】
また、予め定められた複数のジャンルのうちから所望のジャンルを受け付けるジャンル受付手段１０８（ＳＡ６）を含み、前記映像選択手段１１０は、そのジャンル受付手段１０８により受け付けられたジャンルに応じて所定の芝居映像を選択するものであるため、前記芝居映像の選択において利用者の嗜好を反映することで、より娯楽性の高い背景映像を形成できるという利点がある。
【００４０】
また、前記映像選択手段１１０は、前記背景映像合成手段１２０により合成される背景映像と同期して出力される演奏曲に応じて所定の芝居映像を選択するものであるため、演奏曲の雰囲気にそぐう芝居映像を選択することで、より娯楽性の高い背景映像を形成できるという利点がある。
【００４１】
また、前記映像受付手段１１２は、前記携帯用通信端末５０から送信される前記利用者の映像を受け付けるものであるため、その携帯用通信端末５０により撮像された前記利用者の映像をダイレクトに受け付けることができるという利点がある。
【００４２】
以上、本発明の好適な実施例を図面に基づいて詳細に説明したが、本発明はこれに限定されるものではなく、更に別の態様においても実施される。
【００４３】
例えば、前述の実施例において、前記カラオケ装置１０は、赤外線信号を介して前記携帯用通信端末５０から利用者の映像を受け付けるものであったが、本発明はこれに限定されるものではなく、ブルートゥースモジュール等によりブルートゥース信号を介して利用者の映像を受け付けるものであってもよい。また、利用者の映像を撮像する撮像装置は、前記携帯用通信端末５０に限られるものではなく、前記映像受付手段１１２は、予めデジタルカメラ等により撮像された後、所定の記憶装置すなわちＳＤカードや磁気ディスク等の媒体に記憶された前記利用者の映像を受け付けるものであってもよい。更には、デジタルカメラで撮像された利用者の映像を所定のケーブルを介して直接に受け付けるものであってもよいし、携帯用通信端末５０に取り込んだうえで電子メールの添付ファイル等の形で受け付けるものであっても構わない。
【００４４】
また、前述の実施例において、前記人数受付手段１０６は、前記映像受付手段１１２により利用者の人数分の映像が受け付けられた後にその利用者の人数を受け付けるものであったが、この順番は逆であってもよく、例えば、前記人数受付手段１０６により利用者の人数を受け付けたうえで、前記映像表示装置１２に図示しない所定の映像受付案内画面を表示させ、前記映像受付手段１１２によりその利用者の人数分の映像を受け付けるものであっても構わない。また、前記映像受付手段１１２により受け付けられた映像の枚数を利用者の人数として受け付けるものであっても構わない。この場合、前記人数受付手段１０６は、必ずしも設けられなくともよい。
【００４５】
また、前述の実施例では、特に言及していないが、前記配役説明映像合成手段１１６及び背景映像合成手段１２０は、例えば、図１４に示す配役説明映像１３８における「地蔵」のように、前記映像受付手段１１２により受け付けられた利用者の映像の色相、明度、及び彩度等を変更したうえで合成するものであっても構わない。すなわち、技術的に可能な範囲内で、様々な工夫を凝らした配役説明映像及び背景映像が形成され得る。
【００４６】
また、前述の実施例において、前記配役設定手段１１４は、利用者及び登場人物の性別に関係なくランダムに配役を設定するものであったが、利用者の性別と登場人物の性別とが一致するように配役を設定するものであってもよい。更には、利用者及び登場人物の性別に関係なくランダムに配役を設定する「滅茶苦茶モード」及び利用者の性別と登場人物の性別とが一致するように配役を設定する「性別一致モード」の何れかを選択可能とするものであっても構わない。
【００４７】
また、前述の実施例では、前記演奏曲の出力に先立って前記背景映像合成手段１２０による背景映像の合成が一括して行われて前記ＲＡＭ３０に記憶され、カラオケ演奏に際して順次読み出されて前記映像表示装置１２に表示されるものであったが、演奏曲の出力と同期して前記ＲＡＭ３０に記憶された芝居映像及び利用者映像が読み出され、前記背景映像合成手段１２０により各シーンの背景映像が順次合成されて前記映像表示装置１２に表示されるものであっても構わない。
【００４８】
また、前述の実施例において、前記映像選択手段１１０は、利用者の人数、選曲された演奏曲、及び受け付けられたジャンル等に基づいて複数組の芝居映像のうちから所定の芝居映像をランダムに選択するものであったが、例えば、利用者の人数に基づいて抽出される複数組の芝居映像リスト及び各芝居映像のあらましを説明する芝居映像選択画面を前記映像表示装置１２に表示させて、そのうちの何れかを利用者に直接選択させるものであっても構わない。
【００４９】
また、前述の実施例において、前記映像受付手段１１２は、各利用者につき１枚ずつの映像を受け付けるものであったが、例えば、各利用者につきそれぞれ表情の異なる複数枚の映像を受け付けるものであっても構わない。このようにすれば、より娯楽性の高い背景映像を形成できるという利点がある。
【００５０】
また、前述の実施例では、前記芝居映像において定められた役を便宜上登場人物と称したが、役が人間に限られないことは言うまでもなく、動物、植物、或いは非生物等、様々な役が適宜定められてバリエーションに富んだ芝居映像が用意される。
【００５１】
その他、一々例示はしないが、本発明はその趣旨を逸脱しない範囲内において、種々の変更が加えられて実施されるものである。
【図面の簡単な説明】
【００５２】
【図１】本発明の一実施例であるカラオケ装置の構成を説明するブロック線図である。
【図２】図１のＣＰＵによる背景映像合成表示機能の要部を説明する機能ブロック線図である。
【図３】図１のハードディスクに設けられた芝居映像データベースを詳しく説明する図である。
【図４】図２のＣＰＵによる背景映像合成表示制御をを説明するフローチャートである。
【図５】図２のＣＰＵによる配役設定・背景映像合成制御を説明するフローチャートである。
【図６】図２の携帯用通信端末により撮像された後、赤外線信号を介して図１のカラオケ装置に受け付けられる第１の利用者の映像を例示する図である。
【図７】図２の携帯用通信端末により撮像された後、赤外線信号を介して図１のカラオケ装置に受け付けられる第２の利用者の映像を例示する図である。
【図８】図１の映像表示装置に表示される紙芝居風背景モード選択画面を例示する図である。
【図９】図１の映像表示装置に表示されるフレーム選択画面を例示する図である。
【図１０】図１の映像表示装置に表示される配役説明映像を例示する図である。
【図１１】図３の芝居映像データベースに記憶された芝居映像に含まれる１つのシーンを例示する図である。
【図１２】図１の映像表示装置に表示される背景映像を例示する図である。
【図１３】図１の映像表示装置に表示されるタイトル映像を例示する図である。
【図１４】図１の映像表示装置に表示される配役説明映像の他の一例を示す図である。
【符号の説明】
【００５３】
１０：カラオケ装置（音楽再生装置）
５０：携帯用通信端末
１０８：ジャンル受付手段
１１０：映像選択手段
１１２：映像受付手段
１１４：配役設定手段
１１８：配役説明映像表示手段
１２０：背景映像合成手段
１２２：背景映像表示手段
１２４、１２６：利用者映像
１３２、１３８：配役説明映像
１３４：芝居映像
１３６：背景映像
【図１】
2005091756.tif 000003
【図２】
2005091756.tif 000004
【図３】
2005091756.tif 000005
【図４】
2005091756.tif 000006
【図５】
2005091756.tif 000007
【図６】
2005091756.tif 000008
【図７】
2005091756.tif 000009
【図８】
2005091756.tif 000010
【図９】
2005091756.tif 000011
【図１０】
2005091756.tif 000012
【図１１】
2005091756.tif 000013
【図１２】
2005091756.tif 000014
【図１３】
2005091756.tif 000015
【図１４】
2005091756.tif 000016